(57)【要約】【課題】膜モジュールのユニット化が容易となると共に濾過水導入部材の強度性及び濾過部材と濾過水導入部材との接続部分の耐久性、耐薬品性並びに耐高温性を向上させる。【解決手段】膜ユニット複合体７は複数の膜モジュール１を並列に備えた膜ユニット６ａ，６ｂを積層させている。膜モジュール１は濾過部材２から固液分離水を導入する濾過水導入部材３を備える。この部材３は、断面矩形状の筒体から成り、濾過部材２が接続されない対向した側壁部３ａ，３ｂのうち、一方の側壁部３ａには当該壁部３ａの面から第一開口部３１が突設され、他方の側壁部３ｂには他の膜モジュール１の濾過水導入部材３の第一開口部３１と嵌合可能な第二開口部３２が形成されている。膜ユニット６ａ，６ｂの両端の濾過水導入部材３の群は共に個々の濾過水導入部材２と濾過部材との接続部分を含めて被覆材４の成型部４１によって被覆されている。【選択図】図２
2014188390.tif 000002
【特許請求の範囲】
【請求項１】
複数の膜モジュールを並列に備えた膜ユニットであって、
前記膜モジュールは、濾過部材から固液分離水を導入する濾過水導入部材を備え、前記濾過水導入部材は、断面矩形状の筒体から成り、前記濾過部材が接続されない対向した側壁部のうちで、一方の側壁部には当該壁部の面から第一開口部が突設され、他方の側壁部には他の前記膜モジュールの濾過水導入部材の第一開口部と嵌合可能な第二開口部が形成されたこと
を特徴とする膜ユニット。
【請求項２】
前記膜ユニットの両端の濾過水導入部材の群は共に個々の濾過水導入部材と濾過部材との接続部分を含めて被覆材によって被覆成型されること
を特徴とする請求項１に記載の膜ユニット。
【請求項３】
前記濾過部材と前記濾過水導入部材を接着剤によって接続することを特徴とする請求項１または２に記載の膜ユニット。
【請求項４】
前記濾過水導入部材の両端面には濾過水の系外に排出させる集水口の仮密閉部が予め形成されたことを特徴とする請求項１から３のいずれか１項に記載の膜ユニット。
【請求項５】
請求項１から４のいずれか１項に記載の膜ユニットを積層させた膜ユニット複合体。
【発明の詳細な説明】
【技術分野】
【０００１】
本発明は河川水、湖水、各種廃水等の被処理水を濾過処理する膜ユニットとその複合体に関する。さらには、被処理水の温度が１００℃以上の高温の場合にも適用できる膜ユニットとその複合体に関する。
【背景技術】
【０００２】
膜モジュールは濾過部材の一端側または両端側に濾過水導入部材が接続されているのが一般的な構成である（特許文献１〜５等）。
【先行技術文献】
【特許文献】
【０００３】
【特許文献１】特開平１０−５７７７５号公報
【特許文献２】特開平１１−７６７６４号公報
【特許文献３】特開２００５−１２５１９８号公報
【特許文献４】特開２００６−１５２３３号公報
【特許文献５】国際公開第２０１０／０１５３７４号
【発明の概要】
【発明が解決しようとする課題】
【０００４】
特許文献１〜４の膜モジュールは濾過水の取り出し口が濾過部材の端部側の濾過水導入部材に配置されており、当該膜モジュールを多段積みした場合、各取り出し口に配管接続用のコネクタが必要となり、膜ユニットの構造が煩雑且つ製造コストが高価なものとなる。また、濾過部材と濾過水導入部材とは対面接合した状態となっているので、この両者の接合強度が低下しやすい。
【０００５】
また、特許文献５の膜ユニットは、板状の濾過部材を複数並列に配置させ当該各濾過部材の端部から濾過水を導入する濾過水導入部材を備える。この濾過水導入部材は箱状に形成され、その上下端面には濾過水を系外に排出させるための開口部が形成されている。この態様は濾過水の集合室が簡素な構造であるため、多段積みした場合に当該濾過水導入部材の強度不安定が懸念されることから、前記開口部を閉鎖する密閉部材を堅牢にする必要がある。また、前記濾過水導入部材内は各濾過部材を隔離させる仕切り板によって仕切られているのでされているので、濾過部材の逆洗時には各濾過部材内部の濾過水流路への圧力伝達が均一に作用しないことから、充分な洗浄効果が得られない。
【０００６】
さらに、前記濾過部材及び濾過水導入部材が高分子材料からなる場合、融着剤や接着剤により当該両者の部材の接着強度を確保させた膜モジュールが得られる。
【０００７】
しかしながら、濾過部材が無機材料（例えばセラミックス）からなる一方で濾過水導入部材が高分子材料からなる場合、当該両者の部材の接合に高分子樹脂からなる接着剤を適用すると高分子材料同士の接合よりも耐久性のある接合強度を得ることが困難となる。
【０００８】
しかも、従来の膜モジュールにおける前記両者の接続部分は被処理水（例えば下水、廃水等）に直接接触する態様となっており被処理水に含まれる各種の物質、温度の影響を直接受けることとなる。
【課題を解決するための手段】
【０００９】
そこで、本発明の膜ユニットは、複数の膜モジュールを並列に備えたユニットであって、前記膜モジュールは、濾過部材から固液分離水を導入する濾過水導入部材を備え、前記濾過水導入部材は、断面矩形状の筒体から成り、前記濾過部材が接続されない対向した側壁部のうちで、一方の側壁部には当該壁部の面から第一開口部が突設され、他方の側壁部には他の前記膜モジュールの濾過水導入部材の第一開口部と嵌合可能な第二開口部が形成されている。
【００１０】
以上の発明によれば、膜モジュールの濾過水導入部材の第一開口部が他の膜モジュールの濾過水導入部材の第二開口部と嵌合可能であるので複数の膜モジュールのユニット化が容易となる。
【００１１】
また、本発明のユニットの濾過水導入部材の群は共に個々の濾過水導入部材と濾過部材との接続部分を含めて被覆材によって被覆成型させるとよい。本態様によれば、濾過水導入部材が纏められた状態で被覆材によって被覆成型されているので当該膜ユニットを積層させた場合でも濾過水導入部材の強度性を維持できる。また、前記濾過部材と前記濾過水導入部材との接続部分が被覆されるので当該接続部分が被処理水に曝されなくなる。特に、前記接続部分に接着剤が未使用である場合には当該部分における微小空間を被覆させることができ、堅牢な構造体を成すことができ、耐久性、耐薬品性、耐熱性を向上させることできる。
【００１２】
前記濾過部材と前記濾過水導入部材は接着剤によって接続させると、当該部材間の液密性がより一層確保される。
【００１３】
前記濾過水導入部材の両端面には濾過水の系外に排出させる集水口の仮密閉部を予め形成されるとよい。本態様によれば、前記膜ユニットにおける任意の膜モジュールを他の膜モジュールから濾過水を導入して系外に移送する集水用の膜モジュールとして利用できる。
【発明の効果】
【００１４】
以上の発明によれば膜モジュールのユニット化が容易となると共に濾過水導入部材の強度性及び濾過部材と濾過水導入部材との接続部分の耐久性、耐薬品性並びに耐高温性が向上する。
【図面の簡単な説明】
【００１５】
【図１】（ａ）は発明の実施形態における膜モジュールの濾過水導入部材の上面図，（ｂ）は同濾過水導入部材の一方の開口部を示した斜視図，（ｃ）は同濾過水導入部材の他方の開口部を示した斜視図，（ｄ）は同実施形態における集水口が形成された濾過水導入部材の上面図，（ｅ）は同濾過水導入部材の一方の開口部を示した斜視図，（ｆ）は同濾過水導入部材の他方の開口部を示した斜視図。
【図２】発明の実施形態における膜ユニットを二段に積層させた複合体の縦断面図。
【図３】（ａ）は濾過水導入部材の縦断面図，（ｂ）は同濾過水導入部材の横断面図,（ｃ）は集水口が形成された濾過水導入部材の縦断面図。
【図４】膜モジュールの組立説明図。
【図５】前記膜モジュールを並列に配置させた膜ユニットの一端を示した横断面図。
【図６】（ａ）は被覆材成型部の型枠が装着された膜ユニットの一端の上面図，（ｂ）は両端に集水管が装着された濾過水導入部材の当該集水管周りの型枠の縦断面図。
【図７】前記膜ユニットの被覆材成型部の形成過程（ａ）〜（ｃ）の概略説明図。
【図８】膜ユニットの被覆材成型部の金型部が撤去される過程（ａ）（ｂ）の説明図。
【図９】前記膜ユニットの仕上げ過程（ａ）（ｂ）の説明図。
【発明を実施するための形態】
【００１６】
以下、本発明の実施の形態について説明する。
【００１７】
［膜モジュールの態様］
図１（ａ）〜（ｃ）に示された膜モジュール１は、図２に示されたユニット複合体７に具備された膜ユニット６の構成要素であって、濾過部材２の両端から固液分離水を導入する濾過水導入部材３を備える。濾過水導入部材３は、断面矩形状の筒体から成り、濾過部材２が接続されない対向した側壁部３ａ，３ｂのうち、一方の側壁部３ａにおいては、当該壁部の面から第一開口部３１が突設されている。他方の側壁部３ｂにおいては、他の膜モジュール１の濾過水導入部材３の第一開口部３１と嵌合可能な第二開口部３２が形成されている。濾過水導入部材３の上端面並びに下端面には集水口３３の仮密閉部３４が予め形成されている。
【００１８】
集水口３３は濾過水導入部材３内の濾過水並びに他の膜モジュール１から導入した濾過水を系外に移送するための開口部である。この集水口３３が形成された濾過水導入部材３を備える膜モジュール１は、集水口３３が形成されていない他の膜モジュール１から濾過水を導入して系外に移送するための「集水用の膜モジュール」として機能する。
【００１９】
図１（ｄ）〜（ｆ）に例示した膜モジュール１の濾過水導入部材３は、集水用の濾過水導入部材であって、その上下端面において、濾過部材２及び他の膜モジュール１から導入した濾過水を外部に排出させる集水口３３が形成されている。
【００２０】
仮密閉部３４は、図３（ａ）（ｂ）に示したように濾過水導入部材３の上下端面にて円形状の集水口３３に沿う切り欠き３７により形成されており、ハンマで叩けば容易に除去でき、当該部材３を同図（ｃ）に示した「集水用の濾過水導入部材３」として利用できる。
【００２１】
濾過部材２は有機膜，セラミック膜，セラミック膜以外の無機膜に例示される分離膜を備えた板状のセルから成る。例えば、有機膜中空糸膜，有機平膜，無機平膜，無機単管膜等を備えたものが挙げられる。有機膜の材料としては、セルロース，ポリオレフィン，ポリスルホン，ＰＶＤＦ（ポリビニリデンフロライド），ＰＴＦＥ（ポリ四フッ化エチレン）などが例示される。濾過部材２に設けられる濾過膜の孔径は固液分離の対象となる物質の粒径に応じて選択される。例えば、活性汚泥の固液分離に用いるのであれば、０．５μｍ以下の孔径を有する濾過膜が適用され、また、浄水の濾過のように除菌が必要な場合は０．１μｍ以下の孔径を有する濾過膜が適用される。
【００２２】
濾過水導入部材３の構成材料としては、金属，セラミックスに例示される無機材料または樹脂等の有機材料が挙げられる。前記金属としてはＳＵＳ材が例示される。前記セラミックスから成るものとしては、セラミックス繊維筒を無機接着剤等で硬化して成るものが挙げられる。また、使用温度が２００℃程度以下であれば、有機系材料の例えばポリテトラフルオロエチレン（ＰＴＦＥ）、ポリイミド、ポリフェニリンサルファイト（ＰＰＳ）、セラミックフッ素繊維からなるパイプを適用すればよい。この濾過導入部材３を後述の自硬性無機質材料からなる被覆材４の成型部４１で被覆した場合、当該部材３は成型部４１の補強材としても機能する。
【００２３】
濾過部材２と濾過水導入部材３とは図４に示したように接着剤５によって接続される。接着剤５は接着機能と液密機能とを兼ねる。接着機能は一時的な仮止めとしても機能する。前記液密機能は膜モジュール１の製造過程での被覆材４の成分が濾過水導入部材３内や濾過部材２内に浸入するのを防止させる。液密機能は被覆材４による濾過水導入部材３の被覆が形成されるまで機能すればよく過度の耐圧は必要としない。これらの機能は最低限、被覆材４による一体成型の作業終了までその機能を果たしていればよく、その作業終了後（モールド成型、固化後）には当該機能は被覆材４で代替できる。
【００２４】
接着剤５としては無機系接着剤、有機系接着剤が挙げられる。無機系接着剤はシリカ系接着剤、セラミック系接着剤が例示される。有機系接着剤はアクリル樹脂系接着剤、ウレタン樹脂系接着剤、エポキシ樹脂系接着剤、塩化ビニル樹脂溶剤系接着剤、シリコーン系接着剤、ニトロセルロース系接着剤、フェノール樹脂系接着剤、ポリビニルアルコール系接着剤、メラミン樹脂系接着剤、ユリア樹脂系接着剤が例示される。また、接着剤５の特徴、機能面から瞬間系接着剤、弾性系接着剤、二液常温硬化樹脂系接着剤、熱硬化性樹脂系接着剤、ホットメルト接着剤等に分類でき、適宜、膜モジュール１の使用条件に応じて選択する。
【００２５】
［膜ユニット６の態様］
膜ユニット６は、図５に示すように、膜モジュール１の濾過水導入部材３の第一開口部３１，第二開口部３２を隣り合う他の膜モジュール１の濾過水導入部材３の第二開口部３２，第一開口部３１と嵌合させることで、複数の膜モジュール１を並列に備える。また、膜モジュール１の群のうちで任意数（図３に例示された態様においては３つ）の膜モジュール１の濾過水導入部材３が「集水用の濾過水導入部材」として機能し、当該部材３の上下端面に集水口３３が形成されている。尚、膜ユニット６の一端側の濾過水導入部材３の第一開口部３１は第一密閉蓋３５によって密閉され、他端側の濾過水導入部材３の第二開口部３２は第二密閉蓋３６によって密閉される。
【００２６】
濾過水導入部材３の群は図２に示したように纏めて被覆材４の成型部４１によって被覆されている。また、この成型部４１の上端面，下端面には、「集水用」の複数の濾過水導入部材３の端部を纏めて包囲する止水部材４２が配置される囲繞溝４３が形成されている。
【００２７】
被覆材４の材料としては、金属，セラミック等に例示される無機材料や、熱硬化性樹脂，熱可塑性樹脂，二液硬化型樹脂，紫外線硬化型樹脂等に例示される有機材料や、自硬性無機質材料が挙げられる。これらの材料から作業性や耐久性を含めた被処理液の性状に対して適するものが選定される。
【００２８】
熱硬化性樹脂としては、エポキシ樹脂，メラミン樹脂，フェノール樹脂等が例示される。熱可塑性樹脂としては、塩化ビニル樹脂，ＡＢＳ樹脂，フッ素樹脂，ポリエチレン，ポリプロピレン，ポリスチレン等が例示される。二液硬化型樹脂としてはウレタン系樹脂等がある。ウレタン系樹脂としては、硬質ウレタン樹脂を用いると常温での作業が可能であるので作業性が高く、耐久性及び耐薬品性を有する被覆材４を構成できる。硬質ウレタン樹脂としては水和アルミナ含有ポリエステルポリオール型ウレタン樹脂等が例示される。
【００２９】
自硬性無機質材料は粉末状の本材料を適量の水と混合して流動性を確保し、モールド部材として使用可能なものであり、水和反応により凝結して強度が得られ、その後の水中に置いても強度が低下しない水硬性を発現する性質をもつ材料である。自硬性無機質材料としては、キャスタブル材、セメント系材料が例示される。
【００３０】
キャスタブル材とは、水硬性セメント（アルミナセメント等）を結合材として使用し、耐火骨材と混合した耐火物である。前記耐火骨材には、粘土質、高アルミナ質などの種々の耐火物が用いられ、結合材としてリン酸塩（例えば第一リン酸アルミニウム）やケイ酸ナトリウムを配合させるとキャスタブル材に耐酸性を確保させることができる。
【００３１】
キャスタブル材の最高使用温度は、配合された骨材の種類により差があり、高アルミナ質耐火物は粘土質耐火物よりも最高使用温度が高い。但し、粘土質耐火物であっても、最高使用温度は９００℃以上あるので、本実施形態では耐熱条件を十分満たす。そのため、キャスタブル材の選択基準は、使用環境（耐酸性、耐アルカリ性等）、材料特性（要求される圧縮強度、熱膨張率、熱伝導率など）や作業性に基づき行うこととなる。
【００３２】
セメント系材料としてはセメントやセメントと骨材とを組み合わせたものが挙げられる。セメント、水を練り混ぜたものはセメントペーストと呼ばれ、セメント、水、砂などの骨材を練り混ぜたものがモルタルである。また、セメント、水、砂等の細骨材、砂利等を粗骨材を練り混ぜたものがコンクリートである。粗骨材は５ｍｍ以上のものが重量で８５％以上含まれる骨材である。細骨材とは１０ｍｍふるいを全て通過し、５ｍｍ以下のものが重量で８５％以上含まれる骨材である。これらの骨材の含有率を含めたセメント系材料の種類は、成型部４１の平滑程度等を含めて膜モジュール１の機能に支障のない条件で選択される。
【００３３】
前記セメントとしては、周知のポルトランドセメント、混合セメント、特殊セメントが挙げられ、用途に応じて選択すればよい。
【００３４】
成型したセメント系材料の強度、耐久性、水密性は、セメントと水を練り混ぜる際の水セメント比と密接な関係があるので、膜モジュールの用途に応じた水セメント比は５５％以下にするとよい。
【００３５】
また、セメント系材料に耐熱性、耐酸性を確保させる場合には、セメントには特殊セメントに分類されるアルミナセメントを選択し、これにと配合させる骨材にはアルミナ、コージェライト、ムライト、シリカに例示される耐熱特性に富む材料の微粉末、粒子を適用すればよい。
【００３６】
さらに、上記セメント系材料以外にも、ポリマーセメントモルタルやポリマーセメントコンクリートを使用できる。ポリマーセメントモルタルやポリマーセメントコンクリートとは、セメント、水、骨材を練り混ぜの際にセメント改質材としてポリマー混和剤が混合されたコンクリート及びモルタルのことであり、普通モルタルに比べて接着性、水密性、耐薬品性に優れる性質を有する。
【００３７】
また、必要に応じて被覆材４の靭性化のために繊維材が配合される。繊維材としては、ガラス繊維、ロックウール、セラミックファイバー（例えばＡｌ2Ｏ3とＳｉＯ2からなるファイバー）、Ａｌ2Ｏ3含有量の高いアルミナ繊維などが使用される。繊維の大きさは例えば直径６〜１０μｍ程度、繊維の長さは例えば１〜５ｍｍ程度に設定される。尚、前記長さは被覆材４の成形体の厚みも考慮される。
【００３８】
繊維材の使用量は自硬性無機質材料１００重量部に対して０．５〜３重量部程度とする。０．５重量部未満では機械的強度の向上の効果は少なく、３重量部を越えると、混練物の流動性が低下し、作業性が悪くなる傾向がある。
【００３９】
尚、成型部４１の表面または成型部４１と濾過部材２との境界部分には、合成樹脂材料を塗布して当該表面または境界部分に連続した被膜を形成することで耐薬品性、水密性等の特性を向上させることできる。これにより、上記のセメント系材料を用いた膜モジュールの信頼性がさらに向上する。前記合成樹脂塗料としては、フェノール樹脂塗料、合成樹脂調合ペイント、フタル酸樹脂塗料、エポキシ樹脂塗料、変性エポキシ樹脂、タールエポキシ樹脂塗料、ポリウレタン樹脂塗料、アルキド変性シリコン樹脂塗料、アクリルシリコン樹脂塗料、塩化ゴム系樹脂塗料、塩化ビニル樹脂塗料、フッ素樹脂塗料等が例示される。これらの合成樹脂塗料は使用目的に応じて単一または適宜複数組み合わせて選択される。
【００４０】
［膜ユニット複合体の態様］
膜ユニット６を具備した膜ユニット複合体７の態様について説明する。
【００４１】
図２に例示された膜ユニット複合体７は２つの膜ユニット６を積層させている。下段側膜ユニット６ａは基礎架台８上に固定されている。下段側の成型部４１下端の止水部材４２と基礎架台８との接触により下段の「集水用」の濾過水導入部材３と基礎架台８との間の液密性が確保されている。
【００４２】
下段側膜ユニット６ａの一方の「集水用」の各濾過水導入部材３は上段側膜ユニット６ｂの一方の「集水用」の各濾過水導入部材３と連通している。下段側膜ユニット６ａの他方の「集水用」の各濾過水導入部材３は上段側膜ユニット６ｂの他方の「集水用」の各濾過水導入部材３と連通している。また、上段側の成型部４１下端の止水部材４２が下段側の成型部４１上端の止水部材４２と接触することにより上下段の「集水用」の濾過水導入部材３間の液密性が確保されている。
【００４３】
上段側膜ユニット６ｂには上蓋９が設置されている。上段側の成型部４１上端の止水部材４２と上蓋９との接触により上段の「集水用」の濾過水導入部材３と基礎架台８との間の液密性が確保されている。
【００４４】
上蓋９からは上段側膜ユニット６ｂにおける複数の「集水用の濾過水導入部材３」の集水口３３から連通口４４を介して濾過水を集める排出管９０が露出している。この配管部９０は濾過水を系外に搬出させる濾過水導出管９１に接続されている。
【００４５】
尚、膜ユニット複合体７において膜ユニット６は二台に限定することなく被処理水の負荷に応じて適宜複数積層される。また、膜ユニット複合体７は、上記の態様に限定することなく、下段側膜ユニット６ａ両端の各濾過水導入部材３下端から濾過水を引き出す態様を採用してもよい。
【００４６】
［膜ユニットの製造方法の一例］
本実施形態の膜ユニット６の製造方法の一例について説明する。
【００４７】
先ず、図４に示したように濾過部材２の両端が濾過水導入部材３の挿入溝３０に挿入され、部材２，３間が接着剤５によって接着される。
【００４８】
次いで、図５に示すように、膜モジュール１の濾過水導入部材３の第一開口部３１，第二開口部３２を隣り合う他の膜モジュール１の濾過水導入部材３の第二開口部３２，第一開口部３１と嵌合されことで、複数の膜モジュール１を並列に配置させた膜ユニット６が組まれる。この膜ユニット６の一端側の濾過水導入部材３の第一開口部３１は第一密閉蓋３５によって密閉され、他端側の濾過水導入部材３の第二開口部３２は第二密閉蓋３６によって密閉される。
【００４９】
次いで、図６（ａ）に示したように、膜ユニット６の濾過水導入部材３の群に成型部４１用の金型７が組まれる。この金型７の底板７０上の凸部７１は整列配置された各濾過水導入部材３と当接した状態となっている一方で、当該金型７の側板７２と当該膜ユニット６の第一密閉蓋３５，第二密閉蓋３６との間には隙間が確保されている。凸部７１の高さ及び前記隙間の距離は成型部４１の所定の被り厚と同等に設定されている。また、図６（ｂ）に示したように、濾過水導入部材３群の上下端と対向する金型７の側板７３には、金型７内における膜ユニット６の固定と集水用の濾過水導入部材３の集水口３３への被覆材４の侵入防止のための集水口挿入金具７４が具備されている。さらに、側板７３には、成型部４１上下端面の囲繞溝４３を形成させる囲繞凸部７５が具備されている。
【００５０】
次いで、上記の金型７が組まれた膜ユニットを図７（ａ）の状態から同図（ｂ）の状態に反転させる。この状態での下方の底板７０と側板７２，７３とから成る空間部Ａに被覆材４が注入される。
【００５１】
空間部Ａに注入された被覆材４が硬化した後、金型７が組まれた濾過部材２を図７（ｂ）の状態から同図（ｃ）の状態に反転させる。この状態での下方の底板７０と側板７２，７３とから成る空間部Ｂに被覆材４が注入される。
【００５２】
次いで、空間部Ｂに注入された被覆材４が硬化した後、図８に示したように被覆材４の成型部４１から底板７０及び側板７２，７３が撤去されると、膜ユニット６の両端に被覆材４の成型部４１が形成される。また、同成型部４１には集水用の濾過水導入部材３の集水口３３と連通する連通口４４が形成されている。さらに、この連通口４４群の周囲には囲繞溝４３が形成された状態となっている。
【００５３】
そして、図９に示したように底板７０の凸部７１によって形成された成型部４１の凹部４５に被覆材４が打設されると、図２に示した成型部４１を有する膜ユニット６が出来上がる。
【００５４】
［本実施形態の効果］
以上の膜モジュール１によれば、膜モジュール１の濾過水導入部材３の第一開口部３１が他の膜モジュールの濾過水導入部材３の第二開口部３２と嵌合可能であるので複数の膜モジュール１のユニット化が容易となる。
【００５５】
また、濾過水導入部材３が纏められた状態で被覆材４によって被覆成型されているので例えば図２に示したように膜ユニット６を積層させた場合でも濾過水導入部材３の強度を維持できる。
【００５６】
さらに、濾過部材２と濾過水導入部材３との接続部分が被覆されるので当該接続部分が被処理水に曝されなくなる。これにより、濾過部材２が有機材料（若しくは無機材料）からなる一方で濾過水導入部材３が無機材料（若しくは有機材料）からなる場合であっても、両者の接続部分は、被処理水に含まれる各種の物質、温度の影響を直接受なくなり、耐久性、耐薬品性が向上する。
【００５７】
そして、前記積層の場合、最上端側の濾過水導入部材３と最下端側の濾過水導入部材３が連通する状態となり、最上端（若しくは最下端）の膜ユニット６における個々の濾過水導入部材３の上端（若しくは下端）から濾過水を直接引き出せばよいので、膜ユニット複合体７の部品数が低減する。そして、濾過部材２の逆洗の際には個々の濾過水導入部材３の一端側から逆洗水を濾過部材２に対して直接供給できるので各濾過部材２内部の濾過水流路への圧力伝達の均等化が実現する。
【００５８】
また、濾過水導入部材３が被覆材４によって被覆される前に濾過部材２と当該濾過水導入部材３とが接着剤５によって接着されることで当該部材２，３間の液密性がより一層確保される。したがって、膜ユニット６の製造過程での被覆材４成分の濾過水導入部材３内への浸入を防止できる。尚、濾過水導入材３の挿入溝３０に濾過部材２を挿入させて接着させる態様は、当該部材２が平板状の濾過膜に限定することなく、パイプ状の濾過膜、軟質のシート状若しくはパイプ状の濾過膜、または極細の中空糸膜でも適用できる。
【００５９】
さらに、濾過水導入部材３において濾過水の排出口を任意に確保することで多様な膜モジュール及び膜ユニットの態様が実現する。
【符号の説明】
【００６０】
１…膜モジュール
２…濾過部材
３…濾過水導入部材、３ａ，３ｂ…側壁部、３１…第一開口部、３２…第二開口部、３３…集水口、３４…仮密閉部
４…被覆材，成型部４１
５…接着剤
６…膜ユニット
７…膜ユニット複合体
【図１】
2014188390.tif 000003
【図２】
2014188390.tif 000004
【図３】
2014188390.tif 000005
【図４】
2014188390.tif 000006
【図５】
2014188390.tif 000007
【図６】
2014188390.tif 000008
【図７】
2014188390.tif 000009
【図８】
2014188390.tif 000010
【図９】
2014188390.tif 000011